【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
撮像対象物を、光学系を介してセンサ領域で撮像する撮像装置を制御する制御装置であって、
前記センサ領域と前記光学系の視野との重複領域において、減光率が閾値以下となる第１領域に収まる矩形の第２領域を検出する領域検出部と、
前記センサ領域のうち前記領域検出部が検出した前記第２領域に配置された画素からの画像のデータを抽出する抽出部と、を備える制御装置。
【請求項２】
前記領域検出部は、
前記光学系の視野の中心位置を検出する視野中心検出部と、
前記視野中心検出部が検出した前記中心位置、及び前記光学系の周辺減光特性を示す情報を使って、前記第１領域を算出する第１領域算出部と、を備える請求項１記載の制御装置。
【請求項３】
前記第１領域算出部は、前記光学系の情報を記憶した記憶部から前記光学系の周辺減光特性を示す情報を取得して前記第１領域を算出する請求項２記載の制御装置。
【請求項４】
前記センサ領域で撮像された画像のデータを前記撮像装置から取得する画像取得部を備え、
前記視野中心検出部は、
前記画像取得部が取得した画像のデータが示す輝度分布を使って、前記光学系の視野を算出する視野算出部と、
前記視野算出部が算出した前記視野の中心位置を算出する中心算出部と、を備える請求項２または請求項３記載の制御装置。
【請求項５】
前記領域検出部は、
前記矩形のアスペクト比として予め設定された設定値を取得する設定取得部と、
前記設定取得部が取得した前記設定値を使って、前記第２領域を算出する第２領域算出部と、を備える請求項１から請求項４のいずれか一項記載の制御装置。
【請求項６】
前記第２領域算出部は、前記第２領域の中心位置が、前記光学系の視野の中心位置と一致するように、前記第２領域を算出する請求項５記載の制御装置。
【請求項７】
前記第２領域算出部は、前記第２領域が前記第１領域に収まる最大面積の矩形となるように、前記第２領域を算出する請求項５または請求項６記載の制御装置。
【請求項８】
前記抽出部は、前記センサ領域の画素のうち前記第２領域の画素に蓄積された電荷を選択的に前記撮像装置に読み出させることで、前記抽出を行う請求項１から請求項７のいずれか一項記載の制御装置。
【請求項９】
前記抽出部は、前記センサ領域に配置された画素で撮像された画像のデータを前記撮像装置から取得し、前記撮像装置から取得した画像のデータから、前記領域検出部が検出した前記第２領域に配置された画素で撮像された画像のデータを選択的に抽出する請求項１から請求項７のいずれか一項記載の制御装置。
【請求項１０】
請求項１〜請求項９のいずれか一項記載の制御装置により制御される撮像装置。
【請求項１１】
請求項１〜請求項９のいずれか一項記載の制御装置を搭載した顕微鏡システム。
【請求項１２】
撮像対象物を、光学系を介して撮像装置のセンサ領域で撮像する撮像方法であって、
前記センサ領域と前記光学系の視野との重複領域において、減光率が閾値以下となる第１領域に収まる矩形の第２領域を検出することと、
前記センサ領域のうち前記第２領域に配置された画素で撮像された画像のデータを抽出することと、を含む撮像方法。
【請求項１３】
撮像対象物を、光学系を介してセンサ領域で撮像する撮像装置を制御するコンピュータに、
前記センサ領域と前記光学系の視野との重複領域において、減光率が閾値以下となる第１領域に収まる矩形の第２領域を検出することと、
前記センサ領域のうち前記第２領域に配置された画素で撮像された画像のデータを抽出することと、を実行させるプログラム。
【請求項１４】
請求項１３記載のプログラムが記録され、コンピュータで読み取り可能な記憶媒体。
【手続補正２】
【補正対象書類名】明細書
【補正対象項目名】０００６
【補正方法】変更
【補正の内容】
【０００６】
本発明の第１の態様に従えば、撮像対象物を、光学系を介してセンサ領域で撮像する撮像装置を制御する制御装置であって、センサ領域と光学系の視野との重複領域において、減光率が閾値以下となる第１領域に収まる矩形の第２領域を検出する領域検出部と、センサ領域のうち領域検出部が検出した第２領域に配置された画素で撮像された画像のデータを抽出する抽出部と、を備える制御装置が提供される。
【手続補正３】
【補正対象書類名】明細書
【補正対象項目名】０００９
【補正方法】変更
【補正の内容】
【０００９】
本発明の第４の態様に従えば、撮像対象物を、光学系を介して撮像装置のセンサ領域で撮像する撮像方法であって、センサ領域と光学系の視野との重複領域において、減光率が閾値以下となる第１領域に収まる矩形の第２領域を検出することと、センサ領域のうち第２領域に配置された画素で撮像された画像のデータを抽出することと、を含む撮像方法が提供される。
【手続補正４】
【補正対象書類名】明細書
【補正対象項目名】００１０
【補正方法】変更
【補正の内容】
【００１０】
本発明の第５の態様に従えば、撮像対象物を、光学系を介してセンサ領域で撮像する撮像装置を制御するコンピュータに、センサ領域と光学系の視野との重複領域において、減光率が閾値以下となる第１領域に収まる矩形の第２領域を検出することと、センサ領域のうち第２領域に配置された画素で撮像された画像のデータを抽出することと、を実行させるプログラムが提供される。
【手続補正５】
【補正対象書類名】明細書
【補正対象項目名】００４８
【補正方法】変更
【補正の内容】
【００４８】
制御装置４は、光学視野サークルＡ３の中心位置Ｃから外側に向かう方向の輝度分布において、輝度の最大値に対する輝度の比率が閾値以上となる領域（減光率が閾値以下となる領域）を減光許容エリアＡ１として算出する。そして、制御装置４は、減光許容エリアＡ１とセンサ領域２４ａとの重複領域を算出する。本例において、重複領域は、減光許容エリアＡ１の全域である。そして、制御装置４は、重複領域に収まる矩形状の領域を、そのアスペクト比が予め設定した値になるように算出する。本例において、アスペクト比は１：１に設定されており、制御装置４は、減光許容エリアＡ１に収まる最大の正方形状の領域を、画像エリアＡ２として算出する。
【手続補正６】
【補正対象書類名】明細書
【補正対象項目名】００６１
【補正方法】変更
【補正の内容】
【００６１】
画像エリア算出部２９は、領域検出部として、第１領域検出部４０および第２領域検出部４１を備えている。第１領域検出部４０は、図２に示したセンサ領域２４ａと光学視野サークルＡ３との重複領域において、輝度の最大値に対する比率が閾値以上となる（減光率が閾値以下となる）減光許容エリアＡ１を検出する。第２領域検出部４１は、第１領域検出部４０が検出した減光許容エリアＡ１に収まる矩形の画像エリアＡ２を検出する。
【手続補正７】
【補正対象書類名】明細書
【補正対象項目名】００９１
【補正方法】変更
【補正の内容】
【００９１】
１  顕微鏡システム、２  顕微鏡、３  カメラ、４  制御装置、２４  イメージセンサ
２４ａ  センサ領域、３２  抽出部、４０  第１領域検出部（領域検出部）、４１  第２領域検出部（領域検出部）、４２  視野中心検出部、４３  第１領域算出部、４４  視野算出部、４５  中心算出部、４７  設定取得部、４８  第２領域算出部、Ａ１  減光許容エリア、Ａ２  画像エリア、Ａ３  光学視野サークル